(57)【要約】認証可能デジタルコードは、印刷可能媒体と、情報をグラフィックで表す、印刷可能媒体上に形成される、機械可読デジタルコードと、機械可読デジタルコードに対して位置付けられる、少なくとも１つのセキュリティ署名とを含む。セキュリティ署名は、第１の波長の光によって励起されると、第１の波長と異なる第２の波長で光を蛍光発光し放射する、蛍光材料を含む。認証可能デジタルコードの真正性は、認証可能デジタルコードが第１の波長の光によって照明されるとき、機械可読デジタルコードに対する位置において、第２の波長の光を検出することによって決定される。
2019527445.tif 000002
【特許請求の範囲】
【請求項１】
認証可能デジタルコードであって、
印刷可能媒体と、
前記印刷可能媒体上に形成される機械可読デジタルコードであって、前記機械可読デジタルコードは、情報をグラフィックで表す、機械可読デジタルコードと
蛍光材料を含む少なくとも１つのセキュリティ署名であって、前記蛍光材料は、第１の波長の第１の光によって励起されると、第１の波長と異なる第２の波長で第２の光を蛍光発光し放射し、前記第２の光は、前記認証可能デジタルコードの真正性を示すために、前記機械可読デジタルコードに対する位置において放射する、少なくとも１つのセキュリティ署名と
を備える、認証可能デジタルコード。
【請求項２】
前記蛍光材料は、付加的な光源またはフィルタがない状態で、モバイルデバイスによって生成されている前記第１の光に基づいて、前記第２の光を蛍光発光し放射するように構成される、請求項１に記載の認証可能デジタルコード。
【請求項３】
前記第１の波長は、青色に対応し、前記第２の波長は、赤色に対応する、請求項２に記載の認証可能デジタルコード。
【請求項４】
前記機械可読デジタルコードに対する前記セキュリティ署名の位置は、前記情報に基づく、請求項３に記載の認証可能デジタルコード。
【請求項５】
前記機械可読デジタルコードは、バーコードと、マトリクスコードと、ＱＲコード（登録商標）とを含む群から選択される、請求項４に記載の認証可能デジタルコード。
【請求項６】
前記セキュリティ署名は、前記認証可能デジタルコードの真正性を示すセキュリティコード値のグラフィック表現を含む、請求項５に記載の認証可能デジタルコード。
【請求項７】
前記セキュリティコード値は、前記情報に基づく、請求項６に記載の認証可能デジタルコード。
【請求項８】
前記情報は、前記情報が前記セキュリティコード値によって復号化され得るように、暗号化され、関連する前記セキュリティ署名と関連付けられる、請求項７に記載の認証可能デジタルコード。
【請求項９】
前記セキュリティ署名は、前記認証可能デジタルコードの真正性をさらに示す、第２のセキュリティコード値の第２のグラフィック表現をさらに含む、請求項８に記載の認証可能デジタルコード。
【請求項１０】
前記第２のグラフィック表現は、第２の蛍光材料を使用して前記印刷可能媒体に印刷され、前記第２の蛍光材料は、前記第１および第２の波長と異なる第３の波長の第３の光によって励起されると、前記第１、第２、ならびに第３の波長と異なる第４の波長の第４の光を蛍光発光し放射し、前記機械可読デジタルコードに対する第２の位置における前記第４の光は、前記認証可能デジタルコードの真正性を示す、請求項９に記載の認証可能デジタルコード。
【請求項１１】
前記第１および第２の波長は、可視光に対応する、請求項１０に記載の認証可能デジタルコード。
【請求項１２】
認証可能デジタルコードを製造するための方法であって、
前記認証可能デジタルコードの情報をグラフィックで表すコード印刷画像を生成するステップと、
１つ以上の可視インクを使用して、前記コード印刷画像を印刷可能媒体上に印刷し、機械可読デジタルコードを形成するステップと、
セキュリティ署名をグラフィックで表すセキュリティ印刷画像を生成するステップと、
蛍光材料を使用して、前記セキュリティ印刷画像を前記印刷可能媒体上の前記コード印刷画像に対する位置に印刷するステップであって、前記蛍光材料は、第１の波長の第１の光によって励起されると、前記第１の波長と異なる第２の波長の第２の光を蛍光発光し放射し、前記第２の光は、前記認証可能デジタルコードの真正性を示すために、前記機械可読デジタルコードに対する位置において放射する、ステップと
を含む、方法。
【請求項１３】
認証可能デジタルコードを認証するためのシステムであって、
プロセッサと、
前記プロセッサと通信可能に結合される非一過性メモリと、
前記プロセッサによって制御され、かつ視野を有するカメラと、
前記プロセッサによって制御される発光型ディスプレイであって、前記発光型ディスプレイは、前記カメラの視野の中に第１の光を放射する、発光型ディスプレイと、
機械可読命令を含むソフトウェアであって、前記機械可読命令は、前記メモリ内に記憶され、前記プロセッサによって実行されたときに、
前記発光型ディスプレイを制御し、第１の波長の第１の光を放射することと、
前記カメラを制御し、前記視野内に位置付けられ、かつ前記第１の光によって照明される、前記認証可能デジタルコードの画像を捕捉することと、
前記画像を分析し、前記認証可能デジタルコード上のセキュリティ署名の蛍光発光から結果として生じる、第２の波長の第２の光を、前記機械可読デジタルコードに対する前記画像内の位置において検出することと、
前記位置および前記第２の波長に基づいて、前記認証可能デジタルコードをデコードし、認証することと
を行うことが可能である、ソフトウェアと
を備える、システム。
【請求項１４】
前記プロセッサ、前記メモリ、前記発光型ディスプレイ、および前記カメラは、スマートフォンと、タブレット型コンピュータと、ラップトップコンピュータと、ノートブックコンピュータと、ＭＰ３プレーヤと、携帯情報端末とを含む、モバイルデバイスの群から選択されるデバイスの一部である、請求項１３に記載のシステム。
【請求項１５】
前記ソフトウェアは、前記プロセッサによって実行されると、前記認証可能デジタルコードが前記カメラの焦点領域の外側に位置付けられるとき、前記第１の画像のぼけを除去することが可能である、機械可読命令をさらに含む、請求項１４に記載のシステム。
【請求項１６】
前記第１および第２の波長は、可視光に対応する、請求項１５に記載のシステム。
【請求項１７】
認証可能デジタルコードを認証するための方法であって、
発光型ディスプレイを制御し、第１の波長の第１の光を放射するステップと、
カメラを制御し、前記第１の光によって照明される前記認証可能デジタルコードの画像を捕捉するステップと、
前記画像を分析し、前記認証可能デジタルコードの機械可読デジタルコードに対する前記画像内の位置における、前記認証可能デジタルコードのセキュリティ署名の蛍光発光の結果として生じる、第２の波長の第２の光を検出するステップと、
前記画像内の前記機械可読デジタルコードに対する前記画像内の前記第２の光の位置に基づいて、前記認証可能デジタルコードの機械可読デジタルコードをデコードし、認証するステップと
を含む、方法。
【発明の詳細な説明】
【技術分野】
【０００１】
（関連出願）
本願は、２０１６年６月２４日に出願され、“Ａｕｔｈｅｎｔｉｃａｂｌｅ  Ｄｉｇｉｔａｌ  Ｃｏｄｅ  ａｎｄ  Ａｓｓｏｃｉａｔｅｄ  Ｓｙｓｔｅｍｓ  ａｎｄ  Ｍｅｔｈｏｄｓ”と題された米国特許出願第６２／３５４，５８２号に対する優先権を主張するものであり、該米国特許出願は、参照により本明細書中に援用される。
【背景技術】
【０００２】
製品は、典型的には、製品を識別する機械可読コード（例えば、ＱＲコード（登録商標）、バーコード、データマトリクス、および他の同様のコード）を伴ってパッケージ化される。例えば、機械可読コードは、製造業者識別（ＩＤ）、製品ＩＤ、製品シリアル番号等を含み得る。しかしながら、機械可読コードは、一意のシリアル番号を含有するときでさえ、コード自体が容易に複製されるため、それが取り付けられる製品の認証を提供することはできない。すなわち、走査されている機械可読コードが、真正なものであるか、または画像複製物であるかどうかを確認するための方法は、存在しない。したがって、消費者製品が、機械可読コードでマーキングされている場合であっても、コードは、物品の真正性のインジケーションを提供しない。
【０００３】
多くのモバイルフォンおよびタブレットは、写真画像を捕捉するためのカメラを含む。これらのカメラは、典型的には、近赤外線光子が画像センサに到達しないようにブロックしながら可視光を通過させるように設計される、赤外線（ＩＲ）カットオフフィルタを伴うＣＭＯＳ（相補型金属酸化膜半導体）センサを使用する。ＩＲカットオフフィルタは、赤外線が可視光から形成される画像を歪曲することを防止する。したがって、これが、より自然な見た目の画像をもたらす一方で、従来のモバイルデバイスは、含まれるＩＲカットオフフィルタを除去せずにＩＲ波長の蛍光放射を検出するために不適である。
【０００４】
多くの蛍光物質は、紫外線（ＵＶ）光によって励起されると、可視光を放射する。しかしながら、モバイルフォンは、適切な波長および強度のＵＶ光を生成し、これらの蛍光物質を励起することはできない。したがって、モバイルフォンは、可視光認証に好適であるとは見なされていない。
【発明の概要】
【課題を解決するための手段】
【０００５】
１つの実施形態では認証可能デジタルコードは、印刷可能媒体と、情報をグラフィックで表す、印刷可能媒体上に形成される、機械可読デジタルコードと、第１の波長の第１の光によって励起されると、第１の波長と異なる第２の波長で第２の光を蛍光発光し放射する蛍光材料を有する、少なくとも１つのセキュリティ署名とを含む。第２の光は、認証可能デジタルコードの真正性を示すために、機械可読デジタルコードに対する位置において放射される。
【０００６】
別の実施形態では、本方法は、認証可能デジタルコードを製造する。認証可能デジタルコードの情報をグラフィックで表す、コード印刷画像が、生成され、１つ以上の可視インクを使用して、印刷可能媒体上に印刷され、機械可読デジタルコードを形成する。セキュリティ署名をグラフィックで表す、セキュリティ印刷画像が、生成され、第１の波長の第１の光によって励起されると、第１の波長と異なる第２の波長の第２の光を蛍光発光し放射する蛍光材料を使用して、印刷可能媒体上のコード印刷画像に対する位置に印刷され、第２の光は、認証可能デジタルコードの真正性を示すために、機械可読デジタルコードに対する位置において放射する。
【０００７】
別の実施形態では、認証可能デジタルコードを認証するためのシステムは、プロセッサと、プロセッサと通信可能に結合される、非一過性メモリと、プロセッサによって制御され、かつ視野を有する、カメラと、プロセッサによって制御され、カメラの視野の中に第１の光を放射する、発光型ディスプレイと、メモリ内に記憶された機械可読命令を有するソフトウェアとを含み、該機械可読命令は、プロセッサによって実行されると、発光型ディスプレイを制御し、第１の波長の第１の光を放射することと、カメラを制御し、視野内に位置付けられ、かつ第１の光によって照明される、認証可能デジタルコードの画像を捕捉することと、画像を分析し、認証可能デジタルコード上のセキュリティ署名の蛍光発光から結果として生じる、第２の波長の第２の光を、機械可読デジタルコードに対する画像内の位置において検出することと、位置および第２の波長に基づいて、認証可能デジタルコードをデコードし、認証することとが可能である。
【０００８】
別の実施形態では、本方法は、認証可能デジタルコードを認証する。発光型ディスプレイが、制御され、第１の波長の第１の光を放射する。カメラが、制御され、第１の光によって照明される認証可能デジタルコードの画像を捕捉する。画像が、分析され、認証可能デジタルコードの機械可読デジタルコードに対する画像内の位置における、認証可能デジタルコードのセキュリティ署名の蛍光発光の結果として生じる、第２の波長の第２の光を検出する。認証可能デジタルコードの機械可読デジタルコードが、画像内の機械可読デジタルコードに対する画像内の第２の光の位置に基づいて、デコードされ、認証される。
【図面の簡単な説明】
【０００９】
【図１】図１は、中央のロゴを含む、ＱＲコード（登録商標）形態の、既存技術の機械可読デジタルコードを示す。
【図２】図２は、ある実施形態における、印刷可能媒体に形成された、機械可読デジタルコードと、セキュリティ署名とを含む、１つの例示的認証可能デジタルコードを図示する概略図である。
【図３】図３は、ある実施形態における、図２の認証可能デジタルコードを認証するための、１つの例示的認証デバイスを示す。
【図４】図４は、ある実施形態における、図２の認証可能デジタルコードを認証するための１つの例示的方法を図示する、フローチャートである。
【図５】図５は、図２の機械可読コードに対するセキュリティ署名の例示的位置、形状、およびサイズを示す。
【図６】図６は、ある実施形態における、４つの異なる励起周波数に対する、図２のセキュリティ署名からの例示的な捕捉色応答を表示する、色空間グラフである。
【図７】図７は、ある実施形態における、印刷可能媒体上に形成された、機械可読デジタルコードと、セキュリティコード領域とを含む、１つの例示的認証可能デジタルコードを示す。
【図８】図８は、ある実施形態における、印刷可能媒体上に形成された、機械可読デジタルコードと、分散されたセキュリティコード領域とを含む、１つの例示的認証可能デジタルコードを示す。
【図９】図９は、ある実施形態における、印刷可能媒体上に形成された、機械可読デジタルコードと、２つのセキュリティコード領域とを含む、１つの例示的認証可能デジタルコードを示す。
【図１０】図１０は、ある実施形態における、図２、５、７、８、および９の認証可能デジタルコードを産出するための、１つの例示的システムを示す。
【図１１】図１１は、ある実施形態における、認証可能デジタルコードを生成するための１つの例示的方法を図示する、フローチャートである。
【発明を実施するための形態】
【００１０】
視覚蛍光コード確認
図１は、様式的な文字「Ａ」として例証的に示される、中央のロゴ１０４を含む、ＱＲコード（登録商標）１０２の形態の、先行技術の機械可読デジタルコード１００を示す。当技術分野において公知であるように、ＱＲコード（登録商標）１０２は、３つの位置マーカ１０６（１）−（３）と、１つ以上の整合マーカ１０８と、ＱＲコード（登録商標）１０２の残りの部分を形成する、データおよびタイミング領域１１０とを有する。ＱＲコード（登録商標）１０２は、典型的には、読取デバイスによって読取可能にするために、白色の背景上に黒色色素で印刷される。しかしながら、上記に記載されたように、複製物が、読取デバイスにオリジナルが提供するものと同一の情報を提供するため、機械可読デジタルコード１００（例えば、ＱＲコード（登録商標）１０２）が、オリジナルであるか、またはその複製物であるかどうかを決定するための方法は、存在しない。
【００１１】
以下の図では、機械可読デジタルコードは、例証の明確化のため、黒一色ではなく、ハッシュ状態に示される。しかしながら、これらのハッシュ領域は、機械可読デジタルコードの技術分野において公知であるような、黒一色または他の色を表す。
【００１２】
図２は、印刷可能媒体２０１上に形成された、機械可読デジタルコード２０２と、セキュリティ署名２０４とを含む、１つの例示的認証可能デジタルコード２００を図示する概略図である。機械可読デジタルコード２０２は、例えば、可視光を使用する、従来の先行技術読取デバイスによって光学的に読取可能な情報のグラフィック表現である。図２の実施例では、機械可読デジタルコード２０２は、図１のＱＲコード（登録商標）１０２と同一の情報を含む。機械可読デジタルコード２０２は、本明細書の範囲から逸脱することなく、他のグラフィック形態を呈してもよい。
【００１３】
セキュリティ署名２０４は、機械可読デジタルコード２０２に対して位置付けられ、第１の周波数の光に応答して、第２の周波数の光を放射する、蛍光材料から形成される。１つの実施形態では、セキュリティ署名２０４の蛍光材料は、青色光によって照明されると、赤色光を放射する蛍光物質を含む。しかしながら、通常の白色光によって照明されると、セキュリティ署名２０４は、機械可読デジタルコード２０２のマーキングから容易には判別されない。１つの実施形態では、セキュリティ署名２０４は、反射成分と、蛍光成分との両方を含む。例えば、セキュリティ署名２０４を形成するために使用される蛍光物質のマイクロドットは、セキュリティ署名２０４が、白色光下で見られると、第１の色であるように見えるが、ある色（例えば、青色）のみの光で照明されると、第２の色であるように見えるように、第１の色を反射する色素性材料の薄い被膜を用いて形成されてもよい。別の実施例では、セキュリティ署名２０４内の蛍光物質のマクロドットの数量は、比較的に小さく、したがって、これらの蛍光物質マイクロドットは、白色光下で見られると、他が、セキュリティ署名２０４の色素を含む、より低い可視性を有する。反射成分は、セキュリティ署名２０４が通常の照明条件（例えば、白色光および／または日光）下で視認可能であることを可能にする色素を含んでもよい。蛍光成分は、セキュリティ署名２０４が、ある色の光によって照明されると、検出されることを可能にする。
【００１４】
１つの実施形態では、セキュリティ署名２０４は、通常の照明下で略白色であるように見え、かつ機械可読デジタルコード２０２の白色部分にわたって位置付けられるように構成される。代替実施形態では、セキュリティ署名２０４は、通常の照明下で略黒色に見え、かつ機械可読デジタルコード２０２の黒色部分にわたって位置付けられるように構成される。図２の実施例では、セキュリティ署名２０４の領域は、機械可読デジタルコード２０２の情報の１つの「ビット」を表す領域に略等しい。しかしながら、図５に示され、かつ下記に説明されるように、セキュリティ署名２０４は、本明細の範囲から逸脱することなく、他の形状と、サイズとを有してもよい。
【００１５】
図３は、認証可能デジタルコード２００を認証するための、１つの例示的認証デバイス３０２を示す。デバイス３０２は、プロセッサ３０４と、プロセッサ３０４と通信可能に結合されるメモリ３０６と、プロセッサ３０４と通信可能に結合されるカメラ３０８と、インターフェース電子機器３１２を介してプロセッサ３０４と通信可能に結合されるディスプレイ３１０とを含む。ディスプレイ３１０は、ＬＣＤと、ＬＥＤと、ＯＬＥＤとを含む群等から選択される、光を放射するタイプのものである。デバイス３０２は、例えば、モバイルデバイスであり、スマートフォン、携帯情報端末、タブレット型コンピュータ、ラップトップコンピュータ、ノートブックコンピュータ、ＭＰ３プレーヤ、およびスマートテレビのうちの、１つ以上のものを表し得る。
【００１６】
カメラ３０８は、カメラ３０８の視野内に位置付けられる物品（例えば、認証可能デジタルコード２００）がまた、ディスプレイ３１０の正面にあり、かつそこからの光によって照明されるように位置付けられる。例えば、デバイス３０２が、スマートフォンである場合、カメラおよびディスプレイが、同一の方向に面する状態で、カメラ３０８は、スマートフォンの正面に面するカメラであり、かつディスプレイ３１０は、スマートフォンのディスプレイである。ディスプレイ３１０は、プロセッサ３０４によって制御され、グラフィックならびに文字情報を表示し、タッチ感度を組み込み、ユーザから入力を受信してもよい。
【００１７】
デバイス３０２はまた、メモリ３０６内に記憶される機械可読命令として実装され、かつプロセッサ３０４によって実行され、カメラ３０８およびディスプレイ３１０を制御し、認証可能デジタルコード２００を認証する、認証コード３１４を含み得る。１つの実施形態では、デバイス３０２が、スマートフォンまたはタブレットタイプデバイスである場合、認証コード３１４は、スマートフォンもしくはタブレットタイプデバイス上にダウンロードされ、かつそこで起動する「アプリ」である。デバイス３０２は、本明細の範囲から逸脱することなく、他のそのような同様のデバイスであってもよい。デバイス３０２は、デジタルコード２００を認証するとき、付加的なフィルタまたは光源を要求しないことに留意されたい。
【００１８】
図３に示されるように、認証可能デジタルコード２００は、認証可能デジタルコード２００が、カメラ３０８の視野３０９内に存在し、かつディスプレイ３１０の少なくとも一部３１１から放射される光３４０を受容するように、カメラ３０８およびディスプレイ３１０の両方の正面に位置付けられる。認証コード３１４は、照明されながら、ディスプレイ３１０を制御し、認証可能デジタルコード２００を選択的に照明し、かつカメラ３０８を制御し、認証可能デジタルコード２００の１つ以上の画像３３２を捕捉する。認証コード３１４は、次いで、画像３３２を処理し、認証可能デジタルコード２００の真正性を決定する。
【００１９】
認証可能デジタルコード２００は、ディスプレイ３１０からの光３４０が、認証可能デジタルコード２００に対して周囲光３４４よりも影響を及ぼすように、カメラ３０８およびディスプレイ３１０から距離３４２を置いて位置付けられる。しかしながら、カメラ３０８およびディスプレイ３１０の能力に応じて、距離３４２は、コード２００の捕捉される未加工画像３３２（１）が、ぼけるように、カメラ３０８の動作焦点領域の外側に存在し得る。したがって、認証コード３１４は、未加工画像３３２（１）のぼけを除去するように起動される、ぼけ除去アルゴリズム３１６を含み、ぼけが除去された第１の画像３３２（２）を形成し得る。随意に、認証コード３１４はまた、認証可能デジタルコード２００の捕捉された画像が、ぼけが除去された第１の画像３３２（２）内で矛盾なく形成され、サイズ決めされ、かつ配向されるように、認証コード３１４によって起動され得る、歪み除去アルゴリズム３１８を含み、ぼけが除去された第１の画像３３２（２）内で、認証可能デジタルコード２００の画像の歪みを除去し、直線化し得る。
（第１の認証レベル）
【００２０】
第１の認証レベルにおいて、デバイス３０２は、セキュリティ署名２０４から予期される蛍光発光の存在を検出し、予期される波長（周波数）の蛍光発光の検出された存在は、デジタルコード２００の第１の認証レベルが、通過されたことを示す。認証可能デジタルコード２００の簡易認証のみが、要求される場合、認証可能デジタルコード２００は、真正であると決定され得る。
（第２の認証レベル）
【００２１】
認証可能デジタルコード２００のより強力な認証が必要とされる場合、いったんセキュリティ署名２０４の存在が検証されると、セキュリティ署名２０４のさらなる分析が、実施されてもよい。第２の認証レベルにおいて、デバイス３０２は、位置に基づいて、セキュリティ署名２０４のさらなる評価を実施する。
【００２２】
認証可能デジタルコード２００内で、セキュリティ署名２０４は、機械可読デジタルコード２０２に対する所定の場所に位置付けられ得る。例えば、図２に示されるように、捕捉された画像（例えば、画像３３２）内の位置マーカ２０６および整合マーカ２０８の２つ以上の場所を識別することによって、画像内のセキュリティ署名２０４の場所もまた、決定され得るように、セキュリティ署名２０４は、コード２０２内に存在し、かつ位置マーカ２０６ならびに整合マーカ２０８に対して位置付けられる。セキュリティ署名２０４が所定の場所に位置付けられない場合、認証可能デジタルコード２００は、認証されない。１つの実施形態では、機械可読デジタルコード２０２に対するセキュリティ署名２０４の所定の相対的位置は、機械可読デジタルコード２０２内に記憶される異なる情報に対して変化しない。
【００２３】
１つの実施形態では、機械可読デジタルコード２０２に対するセキュリティ署名２０４の場所は、機械可読デジタルコード２０２内の情報に基づいて事前に定義される。例えば、第１の機械可読デジタルコード２０２によって識別される第１の製品に対して、セキュリティ署名２０４は、異なる製品を識別する第２の機械可読デジタルコードに対するセキュリティ署名２０４の第２の位置と異なる、機械可読デジタルコード２０２に対する第１の位置を有し得る。すなわち、システム３００は、認証可能デジタルコード２００の認証に先行して、機械可読デジタルコード２０２をデコードし、セキュリティ署名２０４に対する所定の場所を決定し得る。
【００２４】
動作の１つの実施例では、機械可読デジタルコード２０２に対するセキュリティ署名２０４の検出位置が、機械可読コード２０２からデコードされた情報によって示される所定の位置と合致しない場合、認証コード３１４は、認証可能デジタルコード２００は真正ではないと決定し得る。したがって、認証可能デジタルコード２００内のセキュリティ署名２０４の位置は、したがって、認証可能デジタルコード２００の複製に対する付加的なレベルの保護として使用される。
【００２５】
図３に示されるように、認証コード３１４は、認証可能デジタルコード２００の機械可読デジタルコード２０２をデコードするように動作し、コード情報３３６を生成する、デコードアルゴリズム３２０を含んでもよい。
【００２６】
図４は、図２の認証可能デジタルコード２００を認証するための１つの例示的方法４００を図示する、フローチャートである。方法４００は、例えば、図３の認証コード３１４内に実装される。
【００２７】
ステップ４０２では、方法４００は、読取デバイスのディスプレイを制御し、白色光を放射する。ステップ４０２の１つの実施例では、認証コード３１４は、ディスプレイ３１０の一部３１１を制御し、白色光を放射する。ステップ４０４では、方法４００は、カメラを制御し、画像を捕捉する。ステップ４０４の１つの実施例では、認証コード３１４は、カメラ３０８を制御し、認証可能デジタルコード２００の画像３３２（１）を捕捉する。ステップ４０６では、方法４００は、画像のぼけ除去、歪み除去、およびサイズ決めのうちの少なくとも１つを実施し、それを第１の画像として記憶する。ステップ４０６の１つの実施例では、認証コード３１４は、コード２００の画像が、標準的な配向およびサイズのものであるように、ぼけ除去アルゴリズム３１６ならびに歪み除去アルゴリズム３１８の一方または両方を使用し、画像３３２（１）のぼけ除去、歪み除去、およびサイズ決めを実施し、ぼけが除去された第１の画像３３２（２）を形成する。ステップ４０８では、方法４００は、第１の画像をデコードし、コード情報を生成する。ステップ４０８の１つの実施例では、認証コード３１４は、デコードアルゴリズム３２０を起動し、ぼけが除去された第１の画像３３２（２）から機械可読デジタルコード２０２の情報をデコードし、コード情報３３６を形成する。
【００２８】
ステップ４１０では、方法４００は、ディスプレイを制御し、具体的な周波数（波長、色等）の光を放射する。ステップ４１０の１つの実施例では、認証コード３１４は、ディスプレイ３１０を制御し、一部３１１から青色光３４０を放射する。ステップ４１２では、方法４００は、カメラを制御し、画像を捕捉する。ステップ４１２の１つの実施例では、認証コード３１４は、カメラ３０８を制御し、光３４０によって照明されながら、認証可能デジタルコード２００の画像３３２（１）を捕捉する。ステップ４１４では、方法４００は、画像のぼけ除去／歪み除去／サイズ決めを実施し、それを第２の画像として記憶する。ステップ４１４の１つの実施例では、認証コード３１４は、コード２００の画像が、標準的な配向およびサイズのものであるように、ぼけ除去アルゴリズム３１６ならびに歪み除去アルゴリズム３１８の一方または両方を使用し、画像３３２（１）のぼけ除去、歪み除去、およびサイズ決めを実施し、ぼけが除去された第２の画像３３２（３）を形成する。
【００２９】
ステップ４１６では、方法４００は、第２の画像内の蛍光発光の周波数を決定する。ステップ４１６の１つの実施例では、認証コード３１４は、青色光によって照明されると、ぼけが除去された第２の画像３３２（３）を分析し、セキュリティ署名２０４からの蛍光発光の周波数３３４を決定する。
【００３０】
ステップ４１８では、方法４００は、決定された周波数に基づいて、真正性を決定する。ステップ４１８の１つの実施例では、認証コード３１４は、周波数３３４を１つ以上の、所定の予期された蛍光発光周波数と比較し、周波数が合致する場合、コード２００は、真正であると決定される。
【００３１】
ステップ４２０および４２２は、随意である。含まれる場合、ステップ４２０では、方法４００は、機械可読デジタルコードに対するセキュリティ署名の位置を決定する。ステップ４２０の１つの実施例では、認証コード３１４は、画像３３２（２）および３３２（３）の一方または両方から、位置マーカ２０６ならびに整合マーカ２０８の２つもしくはそれを上回るものに対するセキュリティ署名の位置を決定する。含まれる場合、ステップ４２２では、方法４００は、決定された位置に基づいて、真正性を決定する。ステップ４２２の１つの実施例では、認証コード３１４は、位置マーカ２０６および整合マーカ２０８に対するセキュリティ署名の決定位置が、所定の場所に対して正しいとき、コード２００が、真正であると決定する。
【００３２】
ステップ４１０から４１８は、ディスプレイから放射される光に対する、異なる具体的な周波数を用いて反復し、ステップ４１２の捕捉画像内の蛍光発光の複数の周波数を決定し得る。真正性を決定するステップ（４１８）は、複数の周波数に基づく。例えば、図６および下記の関連付けられる説明を参照されたい。
【００３３】
図５は、機械可読コード２０２に対するセキュリティ署名２０４の例示的な位置、形状、およびサイズを示す。第１の実施例では、セキュリティ署名２０４（１）が、成形、サイズ決めされ、そしてロゴ（例えば、ロゴ１０４）にわたって位置付けられる。第２の実施例では、セキュリティ署名２０４（２）が、成形、サイズ決めされ、そして位置マーカ２０６（例えば、位置マーカ２０６（３））の外側部分にわたって位置付けられる。第３の実施例では、セキュリティ署名２０４（３）が、成形、サイズ決めされ、そして位置マーカ２０６（例えば、位置マーカ２０６（１））の部分間に位置付けられる。第４の実施例では、セキュリティ署名２０４（４）が、成形、サイズ決めされ、そして位置マーカ２０６（例えば、位置マーカ２０６（３））の内側部分にわたって位置付けられる。第５の実施例では、セキュリティ署名２０４（５）が、成形、サイズ決めされ、そして整合マーカ２０８の内側部分にわたって位置付けられる。セキュリティ署名２０４の形状およびサイズは、示される実施例に限定されず、本明細書の範囲から逸脱することなく、機械可読コード２０２上の他所に位置付けられてもよい。
（複数の周波数応答分析）
【００３４】
１つの実施形態では、認証コード３１４は、カメラ３０８を制御し、異なる周波数（例えば、ディスプレイ３１０から放射される異なる色）の光３４０によって照明されると、コード２００の画像を捕捉する。認証コード３１４は、次いで、蛍光発光を励起するために使用された異なる周波数のそれぞれに対する、セキュリティ署名２０４からの蛍光発光応答を決定する。
（詳細応答分析）
【００３５】
図６は、赤色（Ｒ）と、緑色（Ｇ）と、青色（Ｂ）との３つの軸を有し、かつ４つの異なる励起周波数に対する、セキュリティ署名２０４からの例示的決定応答６０２を表示する、色空間グラフ６００である。認証コード３１４は、カメラ３０８を制御し、認証可能デジタルコード２００の第１の画像を捕捉しながら、ディスプレイ３１０を制御し、少なくとも部分３１１から第１の周波数の光を放射する。認証コード３１４は、次いで、この第１の画像を分析し、セキュリティ署名２０４によって放射される、応答６０２（１）としてグラフ６００上にプロットされた、第１の色を決定する。認証コード３１４は、このプロセスを反復し、ディスプレイ３１０の少なくとも一部３１１からの第２、第３、および第４の色の光を放射しながら、認証可能デジタルコード２００の画像を捕捉し、そしてそれぞれ、グラフ６００上に応答６０２（２）、６０２（３）、ならびに６０２（４）としてプロットされる、第２、第３、および第４の色を決定する。示されるように、セキュリティ署名２０４の検出色は、照明光の色に応じて変化する。この応答は、セキュリティ署名２０４の組成に一意であり、したがって、複数の異なる照明色に対する色応答を決定することによって、認証コード３１４は、認証可能デジタルコード２００をより良好に認証し得る。上記に説明されたように、蛍光物質のマイクロドットは、着色された材料でコーティングされ、異なる照明波長になるようにセキュリティ署名２０４の応答に影響を及ぼし得る。色応答が、特定の色の光に対して予期されたものではない場合、認証コード３１４は、それが蛍光材料を組み込んでいるときであっても、もたらされたデジタルコードは真正ではないと決定し得る。
（第２のセキュリティコード）
【００３６】
図７は、印刷可能媒体７０１上に形成された、機械可読デジタルコード７０２と、セキュリティ領域７０４とを含む、１つの例示的認証可能デジタルコード７００を示す。機械可読デジタルコード７０２は、図２の機械可読デジタルコード２０２と同様であり、この実施例では、ＱＲコード（登録商標）を表す。セキュリティ領域７０４は、機械可読デジタルコード７０２に対して位置付けられ、第１の周波数の光に応答して、第２の周波数の光を放射する、蛍光材料７０６を含む。１つの実施形態では、蛍光材料７０６は、青色光によって照明されると、赤色光を放射する。蛍光材料７０６はまた、通常の白色光によって照明されると、セキュリティ領域７０４が、機械可読デジタルコード７０２のマーキングから容易に判別されないように構成されてもよい。
【００３７】
蛍光材料７０６は、機械可読デジタルコード７０２内の蛍光材料７０６の存在に基づいて、そして随意にその位置に基づいて、上記に説明されたものと同様の認証レベルを提供する。すなわち、第１の周波数（例えば、青色）の光によって照明されるとき、蛍光材料７０６からの第２の周波数（例えば、赤色）の蛍光発光の検出が、認証可能デジタルコード７００の第１のレベルの真正性を示す場合、機械可読デジタルコード７０２に対する検出された蛍光発光の位置は、第２のレベルの真正性を示す。
【００３８】
さらに、蛍光材料７０６からの検出された蛍光発光の場所が、（例えば、機械可読デジタルコード７０２のデコーディングと同様の）セキュリティ領域７０４内の検出される蛍光材料７０６の位置に基づいてデコードされ、セキュリティコード値（例えば、図３のメモリ３０６内に記憶されるセキュリティコード値３３８）を生成する。このセキュリティコード値３３８は、次のレベルの認証を提供する。図７の実施例では、セキュリティ領域７０４は、セキュリティコード値のビットに対応する２１個の全体領域を含有し、蛍光材料７０６の存在は、１に対応するビット値を示す。セキュリティ領域７０４、およびそれによってその中に含有されるビットの数は、本明細書の範囲から逸脱することなく、それより大きい、またはそれより小さくあり得る。さらに、セキュリティ領域７０４は、本明細書の範囲から逸脱することなく、エラー識別および／またはエラー修正ビットを含んでもよい。
【００３９】
１つの実施形態では、セキュリティコード値３３８は、機械可読デジタルコード７０２内に含有される情報に対するチェックサム値である。
【００４０】
１つの実施形態では、セキュリティコード値３３８は、機械可読デジタルコード７０２内に含有される情報をさらにデコードするために使用される。例えば、セキュリティコード値３３８は、機械可読デジタルコード７０２から読み取られたデータを復号化するためにハッシュ値を提供し、有用な情報を産出し得る。すなわち、機械可読デジタルコード７０２の従来の読取りは、復号化アルゴリズムを伴うセキュリティコード値３３８を使用して復号化されるまで意味を持たない文字列を提供する。
【００４１】
図８は、印刷可能媒体８０１上に形成された、機械可読デジタルコード８０２と、分散されたセキュリティコード値を含有する、分散されたセキュリティコード領域とを含む、１つの例示的認証可能デジタルコード８００を示す。認証可能デジタルコード８００は、認証可能デジタルコード７００と同様であり、蛍光材料８０４から検出された蛍光発光の場所は、セキュリティコード値（例えば、セキュリティコード値３３８）を決定するために使用される。機械可読デジタルコード８０２に対して検出された蛍光発光の場所に基づいて蛍光材料８０４から蛍光発光をデコードする、他の領域および方法もまた、本明細書の範囲から逸脱することなく、使用され得る。
【００４２】
別の実施形態では、図示されないが、蛍光材料８０４は、情報が、機械可読デジタルコード８０２を参照せずに検出された蛍光発光からデコードされ得るように、１つ以上の位置マーカおよび整合マーカを画定してもよい。すなわち、蛍光材料８０４は、機械可読デジタルコード８０２から独立して位置付けられ、機械可読デジタルコード８０２を参照せずにデコードされ得る。
（複数のセキュリティ署名）
【００４３】
有利には、ディスプレイ３１０を使用し、認証可能デジタルコード２００を照明することは、異なる波長の光が選択的に使用されることを容易に可能にする。図９は、１つの例示的認証可能デジタルコード９００を示しており、該認証可能デジタルコードは、図７の認証可能デジタルコード７００と同様であり、印刷可能媒体９０１上に形成された、機械可読デジタルコード９０２と、それぞれ、蛍光材料９０６（１）と、９０６（２）とを含む、２つのセキュリティコード領域９０４（１）、９０４（２）とを有する。蛍光材料９０６（１）は、第１の周波数の光に応答して、第２の周波数の光を放射する。例えば、蛍光材料９０６（１）は、青色光によって照明されると、赤色光を放射する。蛍光材料９０６（２）は、第３の周波数の光に応答して、第４の周波数の光を放射する。例えば、蛍光材料９０６（２）は、青色光によって照明されると、緑色光を放射する。蛍光材料９０６はまた、通常の白色光によって照明されると、セキュリティコード領域９０４が、機械可読デジタルコード９０２から容易に判別されないように構成され得る。上記に記載されたように、蛍光物質は、蛍光発光していないとき、蛍光物質の外観を修正する、薄い色の色素でコーティングされるマイクロドットとして形成されてもよい。代替実施形態では、２つのセキュリティ領域９０４（１）、９０４（２）のうちの１つは、特定の周波数の光に応答して、赤外線（ＩＲ）の波長の光を放射するように構成され、カメラ３０８は、可視波長およびＩＲ波長（例えば、図５ならびに米国特許出願第６２／３５４，５８２号の付属Ｂの関連する説明を参照されたい）の両方の光を感知するように構成される。
【００４４】
蛍光材料９０６は、機械可読デジタルコード９０２内の蛍光材料９０６の存在、および随意にその位置に基づいて、上記に説明されたものと同様の認証レベルを提供する。すなわち、第１の周波数（例えば、青色）の光によって照明されたときの、蛍光材料９０６（１）からの第２の周波数（例えば、赤色）の蛍光発光の検出、および／または第３の周波数（例えば、青色）の光によって照明されたときの、蛍光材料９０６（２）からの第４の周波数（例えば、緑色）の蛍光発光の検出が、認証可能デジタルコード９００の第１のレベルの真正性を示す場合、機械可読デジタルコード９０２に対する検出された蛍光発光の位置が、第２のレベルの真正性を示す。
【００４５】
さらに、蛍光材料９０６からの検出された蛍光発光の場所が、（例えば、機械可読デジタルコード９０２のデコーディングと同様の）セキュリティコード領域９０４内の検出された蛍光材料９０６の位置に基づいてデコードされ、次のレべルの認証に対してともに動作する、第１および第２のセキュリティコード値を生成する。
【００４６】
したがって、ディスプレイ３１０を使用し、所望される周波数の光を放射することの融通性は、異なる蛍光物質が、機械可読デジタルコード９０２から容易に検出されかつ区別されることを可能にする。動作の１つの実施例では、認証コード３１４は、カメラ３０８を制御し、認証可能デジタルコード９００の第１の画像を捕捉しながら、ディスプレイ３１０を制御し、白色光を放射する。認証コード３１４は、次いで、カメラ３０８を制御し、認証可能デジタルコード９００の第２の画像を捕捉しながら、ディスプレイ３１０を制御し、第１の周波数の光を放射し、次いで、認証コード３１４は、カメラ３０８を制御し、認証可能デジタルコード９００の第３の画像を捕捉しながら、ディスプレイ３１０を制御し、第３の周波数の光を放射する。認証コード３１４は、次いで、ぼけ除去アルゴリズム３１６、歪み除去アルゴリズム３１８、およびデコードアルゴリズム３２０のうちの１つ以上のものを使用し、第１、第２、ならびに第３の捕捉された画像のそれぞれをデコードする。
【００４７】
各セキュリティコード領域９０４（１）および９０４（２）からデコードされた情報は、次いで、付加的な認証値として使用されてもよい、または機械可読デジタルコード９０２の情報を暗号解除するために使用されてもよい。
【００４８】
図１０は、認証可能デジタルコード１００２を産出するための、１つの例示的システム１０００を示す。認証可能デジタルコード１００２は、それぞれ、図２、５、７、８、および９の認証可能デジタルコード２００、７００、８００、ならびに９００のうちの１つ以上のもの表し得る。
【００４９】
システム１０００は、印刷機１００４と、メモリ１０１０と通信可能に結合されるプロセッサ１００８を含む、コンピュータ１００６とを含む。コード画像生成器１０１２は、メモリ１０１０内に記憶され、かつプロセッサ１００８によって実行され、認証可能デジタルコード１００２の機械可読デジタルコード（例えば、機械可読デジタルコード２０２、７０２、８０２、および９０２）部分に対応する、１つ以上のコード印刷画像１０１６を生成する、機械可読命令を含む。例えば、コード画像生成器１０１２は、外部源からデジタルコード情報１０２０を受信し、アルゴリズムを使用して、そこから１つ以上のコード印刷画像１０１６を自動的に生成し得る。１つの実施形態では、生成器１０１２は、（随意に外部源から受信される）セキュリティコード値１０２２に基づいてデジタルコード情報１０２０を暗号化し、したがって、コード１００２の機械可読デジタルコード内の情報は、デジタルコード情報１０２０を直接的に反映しない。当技術分野において公知である、ＣＭＹＫプロセスを使用して印刷される場合、コード印刷画像１０１６は、シアン色、マゼンタ色、黄色、および黒色毎に１つずつ、４つの位置合わせされた画像から形成されてもよい。
【００５０】
コンピュータ１００６はまた、メモリ１０１０内に記憶され、かつプロセッサ１００８によって実行され、セキュリティコード値１０２２およびセキュリティ署名位置１０２４の一方または両方に基づいてセキュリティ印刷画像１０１８を生成する機械可読命令を含む、セキュリティ画像生成器１０１４を含む。例えば、コード１００２が図２のコード２００を表す場合、生成器１０１４は、セキュリティ署名位置１０２４を利用し、画像１０１６内の機械可読デジタルコード２０２に対して位置付けられるセキュリティ署名２０４を用いて、画像１０１８を生成する。
【００５１】
別の実施例では、コード１００２が、図７および９のコード７００ならびに９００を表す場合、生成器１０１４は、セキュリティ署名位置１０２４およびセキュリティコード値１０２２を利用し、それぞれ、画像１０１６内の機械可読デジタルコード２０２に対して位置付けられ、かつセキュリティコード値１０２２に基づいて蛍光材料（例えば、蛍光材料７０６ならびに９０６）の位置を画定する、セキュリティコード領域（例えば、セキュリティコード領域７０４および９０４）を用いて、画像１０１８を生成する。
【００５２】
コード印刷画像１０１６およびセキュリティ印刷画像１０１８は、次いで、印刷機１００４によって使用され（直接的または間接的のいずれかで、画像１０１６ならびに１０１８から生成されるプレートおよびスクリーンの使用を通して）、コード１００２を、光学インク１０３０、セキュリティインク１０３２を使用して、媒体１０３４の中に印刷する。セキュリティインク１０３２は、ある色の可視光によって照明されると蛍光発光する、具体的に選択された蛍光物質を含有する。印刷機１００４は、例えば、セキュリティインク１３２が、印刷の技術分野において公知であるような、セキュリティインク１０３２を使用することによって、認証可能デジタルコード１００２を印刷するために使用され得る、付加的な印刷ステップ（例えば、ＣＭＹＫ＋１）において印刷される、ＣＭＹＫタイプの印刷を使用した、従来の印刷装置である。２つ以上の異なる蛍光材料（例えば、蛍光物質、またはコーティングされた蛍光物質のマイクロドット）が、２つもしくはそれを上回る異なるセキュリティコード（図９のコード９００を参照されたい）に対して使用される場合、付加的な印刷ステップが、追加されてもよい。さらに、印刷の技術分野において公知であるように、湿気および摩擦に対して保護するために、コード１００２に、最上層が、追加されてもよい。
【００５３】
図１１は、認証可能デジタルコードを製造するための１つの例示的方法１１００を図示する、フローチャートである。方法１１００は、例えば、コンピュータ１００６の生成器１０１２および１０１４、ならびに図１０のシステム１０００の印刷機１００４内に実装される。
【００５４】
ステップ１１０２では、方法１１００は、機械可読デジタルコードに対する情報を受信する。ステップ１１０２の１つの実施例では、コンピュータ１００６は、デジタルコード情報１０２０を受信する。ステップ１１０４では、方法１１００は、情報から機械可読デジタルコードを生成する。ステップ１１０４の１つの実施例では、コード画像生成器１０１２は、デジタルコード情報１０２０のグラフィック表現に基づいて、コード印刷画像１０１６を生成する。ステップ１１０４の別の実施例では、コード画像生成器１０１２は、最初に、セキュリティコード値１０２２に基づいて、デジタルコード情報１０２０を暗号化し、次いで、暗号化された情報のグラフィック表現として、コード印刷画像１０１６を生成する。
【００５５】
ステップ１１０６では、方法１１００は、セキュリティ領域の場所を決定する。ステップ１１０６の１つの実施例では、セキュリティ画像生成器１０１４は、デジタルコード情報１０２０内の情報に基づいて、機械可読デジタルコード２０２に対するセキュリティ署名２０４の場所を決定する。ステップ１１０６の別の実施例では、セキュリティ画像生成器１０１４は、デジタルコード情報１０２０に基づいて、セキュリティ領域７０４（またはセキュリティ領域９０４）の場所を決定する。ステップ１１０６の別の実施例では、セキュリティ領域７０４、９０４の場所は、セキュリティ画像生成器１０１４内で事前に定義される。
【００５６】
ステップ１１０８は、随意である。含まれる場合、ステップ１１０８では、方法１１００は、セキュリティコードを決定する。ステップ１１０８の１つの実施例では、セキュリティ画像生成器１０１４は、受信された入力からセキュリティコード値１０２２を決定する。ステップ１１０８の別の実施例では、セキュリティコード値１０２２は、セキュリティ画像生成器１０１４内で事前に定義される。ステップ１１０８の別の実施例では、セキュリティ画像生成器１０１４は、デジタルコード情報１０２０からセキュリティコード値１０２２を決定する。
【００５７】
ステップ１１１０では、方法１１００は、セキュリティコードからセキュリティ印刷画像を生成する。ステップ１１１０の１つの実施例では、セキュリティ画像生成器１０１４は、セキュリティコード値１０２２に基づいてセキュリティ印刷画像１０１８を生成する。
【００５８】
ステップ１１１２では、方法１１００は、コード印刷画像を印刷可能媒体に印刷する。ステップ１１１２の１つの実施例では、印刷機１００４は制御され、コード印刷画像１０１６を媒体１０３４に印刷する。ステップ１１１４では、方法１１００は、セキュリティ印刷画像を同一の印刷可能媒体に印刷する。ステップ１１１４の１つの実施例では、印刷機１００４は、制御され、セキュリティ印刷画像１０１８を、印刷されたコード印刷画像１０１６に位置合わせされた媒体１０３４に印刷する。
【００５９】
方法１１００のステップは、本明細書の範囲から逸脱することなく、異なる順序で実施されてもよい。
【００６０】
変更が、本明細書の範囲から逸脱することなく、上記の方法およびシステム内に成されることができる。したがって、上記の説明に含有される、または添付図面に示される事項は、例証的であると解釈され、かつ限定する意味に解釈されないものとすることに留意されたい。以下の請求項は、本明細書に説明される全ての一般的な特徴および具体的な特徴、ならびに、言い回しの問題として、その中間にあると言われ得る、本方法およびシステムの範囲の全ての叙述を網羅することが意図される。特に、以下の実施形態、ならびに相互に互換性である、そのような実施形態の任意の組み合わせが、具体的に考えられる。
【００６１】
（Ａ）認証可能デジタルコードは、印刷可能媒体と、情報をグラフィックで表す、印刷可能媒体上に形成される、機械可読デジタルコードと、第１の波長の第１の光によって励起されると、第１の波長と異なる第２の波長で第２の光を蛍光発光し放射する蛍光材料を含む、少なくとも１つのセキュリティ署名であって、第２の光は、認証可能デジタルコードの真正性を示すために、機械可読デジタルコードに対する位置において放射する、セキュリティ署名とを含む。
【００６２】
（Ｂ）（Ａ）に示される認証可能デジタルコードにおいて、蛍光材料は、付加的な光源またはフィルタがない状態で、モバイルデバイスによって生成されている第１の光に基づいて、第２の光を蛍光発光し放射するように構成される。
【００６３】
（Ｃ）（Ａ）および（Ｂ）に示される認証可能デジタルコードのいずれか一方において、第１の波長は、青色に対応し、第２の波長は、赤色に対応する。
【００６４】
（Ｄ）（Ａ）−（Ｃ）に示される認証可能デジタルコードのいずれかにおいて、機械可読デジタルコードに対するセキュリティ署名の位置は、情報に基づく。
【００６５】
（Ｅ）（Ａ）−（Ｄ）に示される認証可能デジタルコードのいずれかにおいて、機械可読デジタルコードは、バーコードと、マトリクスコードと、ＱＲコード（登録商標）とを含む群から選択される。
【００６６】
（Ｆ）（Ａ）−（Ｅ）に示される認証可能デジタルコードのいずれかにおいて、セキュリティ署名は、認証可能デジタルコードの真正性を示す、セキュリティコード値のグラフィック表現を有する。
【００６７】
（Ｇ）（Ａ）−（Ｆ）に示される認証可能デジタルコードのいずれかにおいて、セキュリティコード値は、情報に基づく。
【００６８】
（Ｈ）（Ａ）−（Ｇ）に示される認証可能デジタルコードのいずれかにおいて、情報は、該情報がセキュリティコード値によって復号化され得るように、暗号化され、関連するセキュリティ署名と関連付けられる。
【００６９】
（Ｉ）（Ａ）−（Ｈ）に示される認証可能デジタルコードのいずれかにおいて、セキュリティ署名はさらに、認証可能デジタルコードの真正性を示す、第２のセキュリティコード値の第２のグラフィック表現をさらに含む。
【００７０】
（Ｊ）（Ａ）−（Ｉ）に示される認証可能デジタルコードのいずれかにおいて、第２のグラフィック表現は、第１および第２の波長と異なる、第３の波長の第３の光によって励起されると、第１、第２、ならびに第３の波長と異なる、第４の波長の第４の光を蛍光発光し放射する、第２の蛍光材料を使用して、印刷可能媒体に印刷され、機械可読デジタルコードに対する第２の位置における第４の光は、認証可能デジタルコードを認証するためのものである。
【００７１】
（Ｋ）（Ａ）−（Ｊ）に示される認証可能デジタルコードのいずれかにおいて、第１および第２の波長は、可視光に対応する。
【００７２】
（Ｌ）認証可能デジタルコードを製造するための方法。認証可能デジタルコードの情報をグラフィックで表す、コード印刷画像が、生成され、１つまたはそれを上回る可視インクを使用して、印刷可能媒体上に印刷され、機械可読デジタルコードを形成する。セキュリティ署名をグラフィックで表す、セキュリティ印刷画像が、生成され、第１の波長の第１の光によって励起されると、第１の波長と異なる第２の波長の第２の光を蛍光発光し放射する蛍光材料を使用して、印刷可能媒体上のコード印刷画像に対する位置に印刷され、第２の光は、認証可能デジタルコードの真正性を示すために、機械可読デジタルコードに対する位置において放射する。
【００７３】
（Ｍ）認証可能デジタルコードを認証するためのシステムは、プロセッサと、プロセッサと通信可能に結合される、非一過性メモリと、プロセッサによって制御され、かつ視野を有する、カメラと、プロセッサによって制御され、カメラの視野の中に第１の光を放射する、発光型ディスプレイと、メモリ内に記憶された機械可読命令を有するソフトウェアとを含み、該機械可読命令は、プロセッサによって実行されると、発光型ディスプレイを制御し、第１の波長の第１の光を放射することと、カメラを制御し、視野内に位置付けられ、かつ第１の光によって照明される、認証可能デジタルコードの画像を捕捉することと、画像を分析し、認証可能デジタルコード上のセキュリティ署名の蛍光発光から結果として生じる、第２の波長の第２の光を、機械可読デジタルコードに対する画像内の位置において検出することと、位置および第２の波長に基づいて、認証可能デジタルコードをデコードし、認証することとが可能である。
【００７４】
（Ｎ）（Ｍ）に示されるシステムにおいて、プロセッサ、メモリ、発光型ディスプレイ、およびカメラは、スマートフォンと、タブレット型コンピュータと、ラップトップコンピュータと、ノートブックコンピュータと、ＭＰ３プレーヤと、携帯情報端末とを含む、モバイルデバイスの群から選択されるデバイスの一部である。
【００７５】
（Ｏ）（Ｍ）および（Ｎ）に示されるシステムのいずれか一方において、ソフトウェアは、プロセッサによって実行されると、認証可能デジタルコードがカメラの焦点領域の外側に位置付けられるとき、第１の画像のぼけを除去することが可能である、機械可読命令をさらに含む。
【００７６】
（Ｐ）（Ｍ）−（Ｏ）に示されるシステムのいずれかにおいて、第１および第２の波長は、可視光に対応する。
【００７７】
（Ｑ）本方法は、認証可能デジタルコードを認証する。発光型ディスプレイが、制御され、第１の波長の第１の光を放射する。カメラが、制御され、第１の光によって照明される認証可能デジタルコードの画像を捕捉する。画像が、分析され、認証可能デジタルコードの機械可読デジタルコードに対する画像内の位置における、認証可能デジタルコードのセキュリティ署名の蛍光発光の結果として生じる、第２の波長の第２の光を検出する。認証可能デジタルコードの機械可読デジタルコードが、画像内の機械可読デジタルコードに対する画像内の第２の光の位置に基づいて、デコードされ、認証される。
【図１】
2019527445.tif 000003
【図２】
2019527445.tif 000004
【図３】
2019527445.tif 000005
【図４】
2019527445.tif 000006
【図５】
2019527445.tif 000007
【図６】
2019527445.tif 000008
【図７】
2019527445.tif 000009
【図８】
2019527445.tif 000010
【図９】
2019527445.tif 000011
【図１０】
2019527445.tif 000012
【図１１】
2019527445.tif 000013
【国際調査報告】
2019527445.tif 000014